(57)【特許請求の範囲】
【請求項１】
電力をバックプレーンから前記バックプレーン上に装着されたモジュールに伝送するためのコネクタであって、
中央脚部および第１および第２の外側脚部を有する第１の磁気Ｅコアであって、前記中央脚部および前記外側脚部は、その第１の端部において接合され、その第２の端部が前記バックプレーン内の開口部内に延びる状態で装着され、前記バックプレーンは、前記３つの脚部の少なくとも１つを取り囲むプリントコイルを有する、第１の磁気Ｅコアと、
中央脚部および第１および第２の外側脚部を有する第２の磁気Ｅコアであって、前記中央脚部および前記外側脚部は、その第１の端部において接合され、その第２の端部が前記モジュールの端部に隣接して装着された状態で装着され、前記モジュールは、前記３つの脚部の少なくとも１つを取り囲む少なくとも１つの巻き線コイルを有する、第２の磁気Ｅコアと、を備え、
前記バックプレーンおよび前記モジュールは、前記モジュールが前記バックプレーンに装着されたとき、前記バックプレーン上の前記第１の磁気Ｅコアの各々脚部の前記第２の端部が、前記モジュール内の前記第２の磁気Ｅコアの対応する脚部と位置合わせされるように構成され、
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを備え、
前記第１の磁気Ｉコアは、その端部が前記バックプレーン内の開口部内に延びる状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻き線コイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、コネクタ。
【請求項２】
前記モジュール内の前記巻き線コイルが、さまざまなＡＣ電圧出力をもたらすための複数のタップを備えたコイルである、請求項１に記載のコネクタ。
【請求項３】
前記バックプレーン内の前記第１の磁気Ｅコアの前記第２の端部が、前記バックプレーンの前記モジュール側から突出しない、請求項１に記載のコネクタ。
【請求項４】
前記第１および第２の磁気Ｅコアの各々の前記第２の端部が、その上に保護シートまたは層を有する、請求項３に記載のコネクタ。
【請求項５】
前記モジュール内の前記第２の磁気Ｅコアが、前記モジュールが前記バックプレーンに装着されたとき、前記モジュール内の当該第２の磁気Ｅコアと、前記バックプレーン内の前記第１の磁気Ｅコアとの間にばね力をもたらすようにばね装着される、請求項３に記載のコネクタ。
【請求項６】
前記第１及び第２の磁気Ｅコアが、フェライトＥコアである、請求項１に記載のコネクタ。
【請求項７】
前記コネクタが、さらに、
少なくとも第３および第４の磁気Ｅコアであって、前記第３の磁気Ｅコアは、前記第１の磁気Ｅコアのように前記バックプレーン上に構成され、前記第４の磁気Ｅコアは、前記モジュールの前記端部に隣接して装着され、前記第２の磁気Ｅコアのように構成される、第３および第４の磁気Ｅコアと、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアと、を備え、
前記第１および第２の磁気Ｅコアは、前記モジュールの中心周りで、前記第３および第４の磁気Ｅコアと対称的に装着され、
前記第１および第２の磁気Ｉコアは、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、請求項１に記載のコネクタ。
【請求項８】
前記モジュールが、２つの同一回路を含む、請求項７に記載のコネクタ。
【請求項９】
前記バックプレーンに接続された前記モジュールが、前記モジュールの前記相対的配向を感知し、必要に応じて電力および／または信号を新ルートで送るための回路を含む、請求項７に記載のコネクタ。
【請求項１０】
前記バックプレーン内の前記第１の磁気Ｉコアの前記端部が、前記バックプレーンの前記モジュール側から突出しない、請求項１に記載のコネクタ。
【請求項１１】
前記第１および第２の磁気Ｉコアの各々の前記両方の端部が、その上に保護シートまたは層を有する、請求項１に記載のコネクタ。
【請求項１２】
前記モジュール内および前記バックプレーン内の前記第１および第２の磁気Ｉコアが、前記モジュールおよび前記バックプレーンそれぞれ内に確実に装着される、請求項１に記載のコネクタ。
【請求項１３】
前記バックプレーン内の前記第１の磁気Ｉコアが、前記第１の磁気Ｉコアの軸を前記バックプレーンに対して垂直にして前記バックプレーン内に装着され、前記モジュール内の前記第２の磁気Ｉコアは、前記モジュールが前記バックプレーンに装着されたとき、軸を、前記バックプレーン内の前記第１の磁気Ｉコアの前記軸とほぼ同一線上にして装着される、請求項１２に記載のコネクタ。
【請求項１４】
前記第１および第２の磁気Ｉコアが、前記モジュールが前記バックプレーンに装着されたとき、前記第１および第２の磁気Ｉコアが互いにその軸に沿って機械力を受けることなく近接状態になるように装着される、請求項１３に記載のコネクタ。
【請求項１５】
前記第３および第４の磁気Ｅコアが、フェライトＥコアである、請求項７に記載のコネクタ。
【請求項１６】
前記第１および第２の磁気Ｉコアが、フェライトＩコアである、請求項１に記載のコネクタ。
【請求項１７】
前記第１及び第２の磁気Ｅコアおよび前記第１および第２の磁気Ｉコアの両方が、フェライトコアであり、前記第１及び第２の磁気Ｅコアは、第１のフェライトの１つの等級のものであり、前記第１および第２の磁気Ｉコアは、前記第１及び第２の磁気Ｅコアとは異なる第２のフェライトの別の等級のものである、請求項１に記載のコネクタ。
【請求項１８】
電力をバックプレーンから前記バックプレーン上に装着されたモジュールに伝送するためのコネクタであって、
第１および第２の脚部を有する第１の磁気Ｃコアであって、前記第１および第２の脚部は、その第１の端部において接合され、その第２の端部が前記バックプレーン内の開口部内に延びる状態で装着され、前記バックプレーンは、前記第１および第２の脚部の少なくとも１つを取り囲むプリントコイルを有する、第１の磁気Ｃコアと、
第１および第２の脚部を有する第２の磁気Ｃコアであって、前記第１および第２の脚部は、その一方の端部において接合され、その第２の端部が前記モジュールの端部に隣接して装着された状態で装着され、前記モジュールは、前記第１および第２の脚部の少なくとも１つを取り囲む少なくとも１つの巻き線コイルを有する、第２の磁気Ｃコアと、を備え、
前記バックプレーンおよび前記モジュールは、前記モジュールが前記バックプレーンに装着されたとき、前記バックプレーン上の前記第１の磁気Ｃコアの各々脚部の前記第２の端部が、前記モジュール内の前記第２の磁気Ｃコアの対応する脚部と位置合わせされるように構成され、
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを備え、
前記第１の磁気Ｉコアは、その端部が前記バックプレーン内の開口部内に延びる状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻き線コイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、コネクタ。
【請求項１９】
前記モジュール内の前記巻き線コイルが、さまざまなＡＣ電圧出力をもたらすための複数のタップを備えたコイルである、請求項１８に記載のコネクタ。
【請求項２０】
前記バックプレーン内の前記第１の磁気Ｃコアの前記第２の端部が、前記バックプレーンのモジュール側から突出しない、請求項１８に記載のコネクタ。
【請求項２１】
前記第１および第２の磁気Ｃコアの各々の前記第２の端部が、その上に保護シートまたは層を有する、請求項２０に記載のコネクタ。
【請求項２２】
前記モジュール内の前記第２の磁気Ｃコアが、前記モジュールが前記バックプレーンに装着されたとき、前記モジュール内の前記第２の磁気Ｃコアと、前記バックプレーン内の前記第１の磁気Ｃコアとの間にばね力をもたらすようにばね装着される、請求項２０に記載のコネクタ。
【請求項２３】
前記第１および第２の磁気Ｃコアが、フェライトＣコアである、請求項１８に記載のコネクタ。
【請求項２４】
前記コネクタが、さらに、
少なくとも第３および第４の磁気Ｃコアであって、前記第３の磁気Ｃコアは、前記第１の磁気Ｃコアのように前記バックプレーン上に構成され、前記第４の磁気Ｃコアは、前記モジュールの前記端部に隣接して装着され、前記第２の磁気Ｃコアのように構成される、第３および第４の磁気Ｃコアと、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアと、を備え、
前記第１および第２の磁気Ｃコアは、前記モジュールの中心周りで、前記第３および第４の磁気Ｃコアと対称的に装着され、
前記第１および第２の磁気Ｉコアは、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、請求項１８に記載のコネクタ。
【請求項２５】
前記モジュールが、２つの同一の回路を含む、請求項２４に記載のコネクタ。
【請求項２６】
前記バックプレーンに接続された前記モジュールが、前記モジュールの前記相対的配向を感知し、必要に応じて電力および／または信号を新ルートで送るための回路を含む、請求項２４に記載のコネクタ。
【請求項２７】
前記バックプレーン内の前記第１の磁気Ｉコアの前記端部が、前記バックプレーンの前記モジュール側から突出しない、請求項１８に記載のコネクタ。
【請求項２８】
前記第１および第２の磁気Ｉコアの各々の前記両方の端部が、その上に保護シートまたは層を有する、請求項１８に記載のコネクタ。
【請求項２９】
前記モジュール内および前記バックプレーン内の前記第１および第２の磁気Ｉコアが、前記モジュールおよび前記バックプレーンそれぞれ内に確実に装着される、請求項１８に記載のコネクタ。
【請求項３０】
前記バックプレーン内の前記第１の磁気Ｉコアが、前記第１の磁気Ｉコアの軸を前記バックプレーンに対して垂直にして前記バックプレーン内に装着され、前記モジュール内の前記第２の磁気Ｉコアは、前記モジュールが前記バックプレーンに装着されたとき、軸を、前記バックプレーン内の前記第１の磁気Ｉコアの前記軸とほぼ同一線上にして装着される、請求項２９に記載のコネクタ。
【請求項３１】
前記第１および第２の磁気Ｉコアが、前記モジュールが前記バックプレーンに装着されたとき、互いにその軸に沿って機械力を受けることなく近接状態になるように装着される、請求項３０に記載のコネクタ。
【請求項３２】
前記第３および第４の磁気Ｃコアが、フェライトＣコアである、請求項２４に記載のコネクタ。
【請求項３３】
前記第１および第２の磁気Ｉコアが、フェライトＩコアである、請求項１８に記載のコネクタ。
【請求項３４】
前記第１および第２の磁気Ｃコアおよび前記第１および第２の磁気Ｉコアの両方が、フェライトコアであり、前記第１および第２の磁気Ｃコアは、第１のフェライトの１つの等級のものであり、前記第１および第２の磁気Ｉコアは、前記第１および第２の磁気Ｃコアとは異なる第２のフェライトの別の等級のものである、請求項１８に記載のコネクタ。
【請求項３５】
バックプレーンからの電力を、前記バックプレーンに結合されるモジュールに結合する方法であって、
第１の磁気Ｃコアまたは第１の磁気Ｅコアを、その面が前記バックプレーン内の開口部内に延びた状態でバックプレーン回路基板上に装着するステップであって、前記バックプレーン回路基板が、前記バックプレーン回路基板内に前記第１の磁気Ｃコアまたは前記第１の磁気Ｅコアの少なくとも１つの脚部を取り囲む少なくとも１つの平面状コイルを有する、ステップと、
その面をモジュール表面に隣接させてモジュール内に装着された第２の磁気Ｃコアまたは第２の磁気Ｅコアを提供するステップであって、前記第２の磁気Ｃコアまたは前記第２の磁気Ｅコアが、前記第２の磁気Ｃコアまたは前記第２の磁気Ｅコアの少なくとも１つの脚部を取り囲む巻き線コイルを有する、ステップと、を含み、
それによって前記モジュールが前記バックプレーンに結合されたとき、前記モジュール上の前記第２の磁気Ｃコアまたは前記第２の磁気Ｅコアの前記面が、前記バックプレーン回路基板上の前記第１の磁気Ｃコアまたは前記第１の磁気Ｅコアの前記面に隣接し、ＡＣ電力が、前記平面状コイルに印加され、前記巻き線コイルに結合され得、
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを提供するステップと、
前記第１の磁気Ｉコアを、その端部が前記バックプレーン内の開口部内を通過する状態で装着するステップであって、前記バックプレーンは、前記第１の磁気Ｉコアを取り囲むプリントコイルを有する、ステップと、
前記第２の磁気Ｉコアが前記第２の磁気Ｉコアを取り囲む少なくとも１つの巻き線コイルを有する状態で、また、前記モジュールが前記バックプレーンに装着されたとき、前記第１の磁気Ｉコアの前記端部が、前記第２の磁気Ｉコアの前記端部に隣接するように、前記第２の磁気Ｉコアを、その端部を前記モジュールの端部に隣接させて装着するステップを含む、方法。
【請求項３６】
前記第２の磁気Ｃコアまたは第２の磁気Ｅコア上の前記巻き線コイルに、さまざまなＡＣ電圧出力をもたらすための複数のタップが設けられる、請求項３５に記載の方法。
【請求項３７】
前記バックプレーン内の前記第１の磁気Ｃコアまたは前記第１の磁気Ｅコアの第２の端部が、前記バックプレーンの前記モジュール側から突出しない、請求項３５に記載の方法。
【請求項３８】
保護シートまたは層が、前記第１の磁気Ｃコアまたは前記第１の磁気Ｅコアの前記第２の端部の上に設けられる、請求項３７に記載の方法。
【請求項３９】
前記モジュール内の前記第２の磁気Ｃコアまたは前記第２の磁気Ｅコアを、前記モジュールが前記バックプレーンに装着されたとき、前記モジュール内の前記第２の磁気Ｃコアまたは前記第２の磁気Ｅコアと、前記バックプレーン内の前記第１の磁気Ｃコアまたは前記第１の磁気Ｅコアとの間にばね力をもたらすようにばね装着するステップをさらに含む、請求項３７に記載の方法。
【請求項４０】
前記第２の磁気Ｃコアまたは前記第２の磁気Ｅコアが、フェライトコアである、請求項３５に記載の方法。
【請求項４１】
少なくとも第３および第４の磁気Ｅコアを提供するステップと、
前記第３の磁気Ｅコアを前記第１の磁気Ｅコアのように、また、前記第４の磁気Ｅコアを前記第２の磁気Ｅコアのように構成するステップと、
少なくとも第３および第４の磁気Ｉコアを提供するステップと、
前記第３の磁気Ｉコアを前記第１の磁気Ｉコアのように、また、前記第４の磁気Ｉコアを前記第２の磁気Ｉコアのように構成するステップと、
前記第３および第４の磁気Ｃコアまたは前記第３および第４の磁気Ｅコアを、前記モジュールの中心の周りで、前記第１および第２の磁気Ｃコアまたは前記第１および第２の磁気Ｅコアと対称的に装着するステップと、
前記第３および第４の磁気Ｉコアを、前記モジュールの中心の周りで、前記第１および第２の磁気Ｉコアと対称的に装着するステップと、を含み、
それによって前記モジュールは、前記モジュールが、第１の相対的配向で、または前記第１の相対的配向とは反対の第２の相対的配向で前記バックプレーンに装着されたときに機能するようになる、請求項３５に記載の方法。
【請求項４２】
前記モジュールが、２つの同一の回路を含む、請求項４１に記載の方法。
【請求項４３】
前記バックプレーンに接続された前記モジュールが、前記モジュールの前記相対的配向を感知し、必要に応じて動力および／または信号を新ルートで送るための回路を含む、請求項４１に記載の方法。
【請求項４４】
前記第１の磁気Ｉコアは、前記バックプレーン内の前記第１の磁気Ｉコアの前記端部が、前記バックプレーンの前記モジュール側から突出しないように装着される、請求項３５に記載の方法。
【請求項４５】
前記第１および第２の磁気Ｉコアの各々の前記両方の端部の上に保護シートまたは層を提供するステップをさらに含む、請求項３５に記載の方法。
【請求項４６】
前記モジュール内および前記バックプレーン内の前記第１および第２の磁気Ｉコアが、前記モジュールおよび前記バックプレーンそれぞれ内に確実に装着される、請求項３５に記載の方法。
【請求項４７】
前記バックプレーン内の前記第１の磁気Ｉコアが、前記第１の磁気Ｉコアの軸を前記バックプレーンに対して垂直にして前記バックプレーンに装着され、前記モジュール内の前記第２の磁気Ｉコアが、前記モジュールが前記バックプレーンに装着されたとき、軸を、前記バックプレーン内の前記第１の磁気Ｉコアの前記軸とほぼ同一線上にして装着される、請求項４６に記載の方法。
【請求項４８】
前記第１および第２の磁気Ｉコアが、前記モジュールが前記バックプレーンに装着されたとき、互いに、その軸に沿って機械力を受けることなく近接状態になるように装着される、請求項４７に記載の方法。
【請求項４９】
前記第２の磁気Ｃコアまたは前記第２の磁気Ｅコアが、フェライトＣコアまたはフェライトＥコアである、請求項３５に記載の方法。
【請求項５０】
前記第１および第２の磁気Ｉコアが、フェライトＩコアである、請求項３５に記載の方法。
【請求項５１】
前記第２の磁気Ｃコアまたは前記第２の磁気Ｅコアおよび前記第２の磁気Ｉコアの両方が、フェライトコアであり、前記第２の磁気Ｃコアまたは前記第２の磁気Ｅコアは、第１のフェライトの１つの等級のものであり、前記第２の磁気Ｉコアは、前記第２の磁気Ｃコアまたは前記第２の磁気Ｅコアとは異なる第２のフェライトの別の等級のものである、請求項３５に記載の方法。
【請求項５２】
バックプレーンの少なくとも１つから前記バックプレーン上に装着されたモジュールへの、およびモジュールから前記モジュールが装着されたバックプレーンへの信号送信のためのコネクタであって、
第１および第２の磁気Ｉコアを備え、
前記第１の磁気Ｉコアは、その端部が前記バックプレーン内の開口部内に進む状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻き線コイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、コネクタ。
【請求項５３】
前記コネクタが、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアをさらに備え、
前記第１および第２の磁気Ｉコアが、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、請求項５２に記載のコネクタ。
【請求項５４】
前記モジュールが、２つの同一の回路を含む、請求項５３に記載のコネクタ。
【請求項５５】
前記バックプレーンに接続された前記モジュールが、前記モジュールの相対的配向を感知し、必要に応じて信号を新ルートで送るための回路を含む、請求項５３に記載のコネクタ。
【請求項５６】
前記バックプレーン内の前記第１の磁気Ｉコアの前記端部が、前記バックプレーンの前記モジュール側から突出しない、請求項５２に記載のコネクタ。
【請求項５７】
前記第１および第２の磁気Ｉコアの各々の前記両方の端部が、その上に保護シートまたは層を有する、請求項５２に記載のコネクタ。
【請求項５８】
前記モジュール内および前記バックプレーン内の前記第１および第２の磁気Ｉコアが、前記モジュールおよび前記バックプレーンそれぞれ内に確実に装着される、請求項５２に記載のコネクタ。
【請求項５９】
前記バックプレーン内の前記第１の磁気Ｉコアが、前記第１の磁気Ｉコアの軸を前記バックプレーンに対して垂直にして前記バックプレーン内に装着され、前記モジュール内の前記第２の磁気Ｉコアは、前記モジュールが前記バックプレーンに装着されたとき、軸を、前記バックプレーン内の前記第１の磁気Ｉコアの前記軸とほぼ同一線上にして装着される、請求項５２に記載のコネクタ。
【請求項６０】
前記第１および第２の磁気Ｉコアが、前記モジュールが前記バックプレーンに装着されたとき、互いにその軸に沿って機械力を受けることなく近接状態になるように装着される、請求項５９に記載のコネクタ。
【請求項６１】
前記第１および第２の磁気Ｉコアが、フェライトＩコアである、請求項５２に記載のコネクタ。
【発明の詳細な説明】
【技術分野】
【０００１】
本発明は、電気コネクタの分野に関する。
【背景技術】
【０００２】
本発明の好ましい実施形態は、バックプレーンとバックプレーン上に装着されたモジュールとの間のコネクタとして使用され、したがってそのようなコネクタに関連する先行技術が、論じられる。しかし、本発明の使用はそのように限定されず、本発明が幅広い範囲の用途に適合され得ることを理解されたい。
【０００３】
さまざまなサイズおよび構成の電気コネクタが、当技術分野で周知である。多重ピンコネクタは、通常、雌型レセプタクル内に差し込まれる多重ピン雄型コネクタ部材を使用し、その電気接続は、金属対金属の直接的接触に依存して回路を完成させる。ほとんどの用途では、このタイプのコネクタは満足のいくものであるが、雄型コネクタ上のピン曲がりによって最初の設置時に、または長期間の間、汚れおよび腐食が蓄積するために接続不良を引き起こす恐れがある。
【０００４】
高信頼性用途向け、また水面下の使用、高湿度および埃または汚染環境などの過酷な環境では、通常、コネクタハウジングは丸く、位置合わせ特徴と、１つのコネクタ部材上の回転式カラーとを含み、この回転式カラーは、他方のコネクタ部材上にねじ込まれてコネクタ部材同士の確実な係合を維持し、このときＯリングが、コネクタ内でピンおよびソケットの最終的な封止をもたらしている。
【０００５】
しかし、場合によっては、物理的制約および他の考慮事項が、そのようなＯリング封止されたコネクタの使用を妨げる。コネクタの１つのそのような用途は、バックプレーン用途であり、この場合、比較的多くの基板またはモジュールが、通常はそれらの間にほとんど空間を有さずに隣合わせにバックプレーン内に「差し込まれ」なければならない。その点において、本明細書で使用される場合、別段文脈によって示されない限り、バックプレーンは、基板またはモジュールがその中に「差し込まれる」プリント回路基板であり、そのバックプレーンプリント基板は、バックプレーンプリント回路基板上に装着されたモジュールもしくはプリント回路、またはそのようなバックプレーンプリント回路基板を含む組立体全体に電力および／または通信をもたらす。
【０００６】
簡単なエッジコネクタは、環境がそれほど厳しくないことが確保され得る用途に適切である。工業プロセス制御用途などの、高い信頼性を必要とし、過酷な環境を有さないことが確保され得ない用途では、回路不良検出技法および／または誤差検出および補正技法が一般的に使用され、長期の期間にわたって回路作動における高い信頼性をもたらすための回路の冗長性も同様である。しかし、腐食は根強い問題であり、そのような組立体は、不良が起こるまで気づかれることなくほぼ無期限に位置し得るため、最初良好であった接触を機能不全にし得る。したがって、従来のコネクタは、システム全体において依然として脆弱なリンクのままである。
【図面の簡単な説明】
【０００７】
【図１】本発明の１つの実施形態によるバックプレーン回路基板の断面図である。
【図２】ＥコアおよびＩコアが中に置かれた図１の回路基板の断面図である。
【図３Ａ】１つの実施形態においてコネクタのモジュール側に使用されるＥコア組立体の分解図である。
【図３Ｂ】図３Ａの組立体内のＥコアの代わりのＣコアの使用を示す概略図である。
【図４】Ｉコアのための支持体上の巻き取りボビンの図である。
【図５】モジュール内の回路基板の１つの縁上のモジュールコネクタのＥコアおよびＩコア組立体の斜視図である。
【図６】ＥコアおよびＩコア組立体の配置を示すために組立体上に保護層を有さないモジュールのコネクタ縁の図である。
【図７】ＥコアおよびＩコア組立体の配置を示すために組立体上に保護層を有さないモジュールのコネクタ縁の図である。
【図８】バックプレーン組立体の長穴内にねじによって装着されるモジュールの図である。
【図９】コネクタの電力接続にＣコアを使用するモジュールの後部の図である。
【図１０】コネクタの電力接続にＣコアを使用するバックプレーンの図である。
【発明を実施するための形態】
【０００８】
後続の説明では、モジュールをバックプレーンに電気的に接続するための例示的な実施形態が説明されるが、本発明はまた多くの他の使用に適する。この説明では、一次巻線および二次巻線に関して参照がなされる。慣例事項として、一次および二次巻線に参照がなされるとき、一次巻線はバックプレーン上の巻線を指し、一方で二次巻線はモジュール内の巻線である。電力伝送の場合、この慣例は従来通りである。しかし、信号伝送の場合、この慣例は、シグナリングの方向に応じて従来通りであってもなくてもよく、双方向シグナリングの場合、任意のものである。さらに、本明細書において使用されるような単語、モジュールは、最も一般的な意味で使用される。
【０００９】
図１を参照すれば、本発明の１つの実施形態によるバックプレーン回路基板２６の断面が見られる。この図によると、この実施形態による典型的なバックプレーン回路基板２６は、そこを貫通する複数の開口部または穴２０を有し、その各々は、バックプレーンの組み立て中、Ｉコアを受け入れるためのものであり、これと共に開口部２２および２４の１つまたは複数のグループも有し、その各々はＥコアを受け入れるためのものである。
【００１０】
好ましく使用されるタイプのＩコアは、磁気材料の丸い円筒状の小塊の形態であり、好ましい実施形態では、高周波における使用に適したフェライトである。典型的な実施形態のＥコアは、従来型のＥコアであり、説明される実施形態では、やはりフェライトＥコアであり、このフェライトＥコアは、Ｉコアと同じフェライトの等級または異なるフェライトの等級になり得る。この点において、Ｅコア装置は、本発明の実施形態によるコネクタを使用して、電力をバックプレーンに［差し込まれた］モジュールに伝送するために使用され、一方でＩコア装置は、通信目的で使用される。したがって、好ましくはＥコアフェライト（または他の材料）は、最適な電力伝送のために比較的高い飽和密度になるように選択され、一方でＩコアフェライト（または他の部材）は、最大の信号通信帯域を確保するためにその周波能力を高くするように選択される。その結果、本発明の１つの態様は、電力および信号を単一の磁気装置で伝送しようとするのではなく、電力および信号の伝送を分離することであり、また、電力および信号の伝送装置が各々の性能を最大限にすることを可能にするために異なる磁気材料を任意選択によって使用すること、好ましくは異なる等級のフェライトを使用することである。
【００１１】
図１のバックプレーン回路基板２６は、通常、多層基板であり、このとき多層の各々上の平面状の（プリントされた）巻線２５および２７は、同じ巻線方向を有して直列に接続されて多重巻線を達成しており、その各々は、Ｉコア開口部２０またはＥコア開口部グループ２２、２４の中央開口部２２に関連付けられる。そのような平面状巻線は、周知であり、例として、多層式のプリント回路基板２６の交互の層上に反対の巻線方向のらせんまたは変更されたらせん導電トレース２５を形成し、次いで、第１および第２の層の導電トレースの内側端部を接続し、導電トレースの外側端部を第２および第３の層上で接続するなどによって形成され得る。これは、複数の層上に導電トレースの直列接続を形成し、すべては、相互接続されたとき同じ巻線方向で効果的に作用する。そのような相互接続は、例として、巻線の内側および外側周囲周りの異なる場所（角度）におけるめっき貫通穴を使用することによるものでよい。あるいは、相互コネクタが、多層回路基板が製作されるときに交互の基板層間に作製されてよい。そのよう巻線を使用することにより、達成され得る総回転数は、一般的な巻き線コイルより少ないが、依然としてかなりのものになり得る。当然ながら代替的には、Ｅコアに関して、平面状の巻線は、これらが、必要とされる相補的な巻線方向を達成するために適正に相互接続される限り、いずれかまたは両方の領域２４周りに、または両方の領域２４および２２の周りになることができる。
【００１２】
次に、Ｅコア２８およびＩコア３０が中に置かれた回路基板２６の断面である図２を参照する。１つの実施形態では、上部表面上に接着剤を有するラベル３２が、回路基板２６の下方に置かれ、Ｅコア２８およびＩコア３０は、一般的なピック・アンド・プレース（ｐｉｃｋ−ａｎｄ−ｐｌａｃｅ）機械によって基板３２内の適所に置かれ、このときＥコアおよびＩコアは、ラベル３２の接着側に強力に接着している。この点において、プリント回路基板２６内の開口部は、コアの周りに、適切な埋め込み用樹脂によるその後の充填のためにいくらかの空隙を残すために、Ｅコア２８およびＩコア３０よりわずかに大きい。埋め込み用樹脂は、エポキシなどの硬質の埋め込み用樹脂でよく、または代替的にはシリコンゴムなどの可撓性の埋め込み用樹脂でもよい。シリコンゴムは、必要に応じて、Ｅコア２８およびＩコア３０とバックプレーンプリント回路基板２６との間にいくらかの可撓性をもたらす。しかし、そのような可撓性は、プリント回路基板と剛性の埋め込み剤の組み合わせが、プリント回路基板を非常に剛性にしてバックプレーンの撓みを回避するということから、必要とされないことがある。また、バックプレーンプリント回路基板は、すべての先行技術コネクタの係合に必要とされるいかなる大きな力も存在しないため、先行技術のバックプレーンプリント回路基板の比較的大きい力は受けないが、振動が、一部の用途において遭遇されることがある。後続の特許請求の範囲では、エポキシおよびシリコンゴムなどの材料は、これらがコアを所定位置に保持するため、それぞれのコアのための確実な装着台として考慮され、これは、力の下での有意な偏向を収容するために装着されたばねとは対照的である。
【００１３】
当然ながら、完成した後で、組み立てられたバックプレーンプリント回路基板２６は、用途に応じて大きく変わり得る、支持胴体の一部の部分を形成するより大きい組立体の一部となる。本発明では、バックプレーンプリント回路基板２６（図２）上のＥコア２８は、バックプレーンに接続されるモジュール内のそれぞれのＥコアと交わる。好ましい実施形態では、そのようなＥコアは、ＡＣ電力をバックプレーンからバックプレーン上に装着されたモジュールに伝送するために使用されるため、バックプレーンの多層プリント回路基板２６上の一次平面状巻線２５から、モジュール内のＥコア上のワイヤ巻線まで極めて効率的にエネルギー伝送するには、そのＥコア対によって形成された磁気回路内の空隙を最小限にすることを必要とする。これは、プリント回路基板２６上のＥコア２８とモジュールコネクタ内のそれぞれのＥコア間の空隙を最小限にする（非磁気空間を最小限にする）ことを必要とするが、バックプレーンプリント回路基板２６上のラベル３２によってもたらされたＥコア２８の保護およびモジュール内の相補的なＥコアの類似の保護によって必要とされる場合を除く。１つの実施形態では、ラベル３２は、バックプレーンプリント回路基板２６上では０．１２７ｍｍ（０．００５インチ）Ｌｅｘａｎラベルであり、モジュール内ではＥコアを保護する対応するＬｅｘａｎ部材である。各々のＥコア自体の各々の脚部の０．１２７ｍｍ（０．００５インチ）保護は、Ｅコア対によって形成された磁気回路内に０．０２０空隙を引き起こすことに留意されたい。バックプレーンプリント回路基板２６内およびモジュール内のＥコアが、適所に確実に固定される場合、これは、初期と、モジュール内に生成される熱によって引き起こされ得る熱膨張および反り効果によるものとの、その固定された位置における変動を可能にするために、追加の間隔をもたらすことを必要とする。したがって、本発明の一部の実施形態によると、モジュールコネクタ内のＥコアは、モジュールの装着平面からわずかに突出するようにばね荷重がかけられて、バックプレーンプリント回路基板２６上のそれぞれのＥコアにぴったり接して位置し（当然ながらそれらの保護層をその間にして）、このときばねは、モジュールがその最終位置に位置したときに必要に応じて押圧する。このばね荷重は、組立体内の膨張差、反り、振動などにかかわらず、Ｅコアの上の保護層によって画定された一定の最小限の空隙を確保するが、そのような要因に関わらず、Ｅコア上の圧力をかなり十分に抑える。
【００１４】
図３Ａは、１つの実施形態において、コネクタのモジュール側に使用されるＥコア組立体の分解図である。例示のために、この分解図は、Ｅコアの面を下方向に向けて示されるが、実際の組立体では、Ｅコア２８の面は、モジュール内のプリント回路基板の縁を超えて外方向に向けられ、このときカバー３４がＥコアのほとんどを覆っている。Ｅコアの中央脚部３６は、部材４０上の巻き取りボビン３８を通過し、部材４０は、その縁周りにいくつかの電気接点または端子４２を有する。これらの端子は、モジュール内のプリント回路基板にはんだ付けされたとき、組立体のための支持体になり、また、ボビン３８上の巻き線コイル上のリードが接続される端子としても作用する。この点において、コイル上に複数のタップを備えた単一のコイルが、通常、さまざまなＡＣ電圧出力をもたらすために使用され、そのＡＣ電圧出力は、次いで、モジュールの作動に通常必要とされる関連付けられたＤＣ電圧に変換される。代替策として、平面状のワイヤを巻いた巻線は、その代わりに外側脚部の周りに置かれてよいが、これは好ましくなく、その理由は、これは、中央脚部周りの単一の巻線と同じようにパッケージ化されないためである。
【００１５】
ボビン３８が巻き付けられた後、部材４０は、これに組み付けられ、Ｅコア２８の中央脚部３６は、ボビン３８の中心を通って挿入される。ばね４６が、部材４４に対して圧縮され、カバー３４内の長穴４８を通って挿入された薄いブレードによって圧縮された状態に一時的に保持され、それにより、圧縮されたばね４６を備えたカバー３４は、Ｅコア２８、ボビン３８、および部材４０を備える組立体の上に置かれ得る。次いで、ばね４６は解放され、それにより、ばねはＥコア２８を部材４４から離れるように促すが、Ｅコア２８が、各々のＥコアの面の上の保護層を通ってバックプレーン上の関連付けられたＥコアと接触したとき、ばね４６の力に対抗してボビンに対していくらか移動することを可能にする。そのような移動は、大きくなく、ボビンは通常摩耗性ではないが、非常に薄い保護コーティングが、所望の場合、少なくともＥコアの外方向に延びる面を除いてすべてのＥコアの上に、例としてＥコアを非常に薄いエポキシまたは他の結合剤に浸すことによって置かれてよい。
【００１６】
圧縮されたばね４６を備えたカバー３４を、図３Ａに示される組立体の残りに組み付けることは、端子４２が、モジュール内のプリント回路基板にはんだ付けされる前、または代替的には、Ｅコア２８およびボビン３８を、端子４２をその上に備えた部材４０内に組み付けた後に行われてよい。この点において、部材４０上のピン５０は、モジュール内のプリント回路基板内の穴内に延びて、組立体を配置するためにはんだ付けされた端子４２に依存することなく、組立体と回路基板２６の正確な位置合わせをもたらす。
【００１７】
ここで図４を参照すると、Ｉコア３０用の支持体５２上の巻き取りボビン５４が、見られる。Ｉコアの場合、端と端を接した２つのＩコアは、完全な磁気回路を作り出さず、その代わりに、Ｉコアを取り囲む空気または非磁気材料による磁気回路（戻り通路）の完成によるものである。その結果、磁気回路の一部は、いずれにせよ非磁気材料から構成されるため、Ｉコアを通る通信は、コネクタの作動中、電力伝送Ｅコア間の空隙を通る電力伝送ほど、Ｉコアのそれぞれの対間の空隙に対してほとんど敏感ではない。したがって、モジュール内のコネクタ内のＩコア３０は、その隣接する端部の上の保護層によってもたらされた空隙以上のいくらかの空隙をＩコア間に常にもたらすように、モジュール内の回路基板に確実に装着されて、これらが、モジュールがバックプレーンに装着されたときに互いに相互干渉することを防止する。したがって、図４に示されるように、プラスチック部材５２は、一体型の巻き取りボビン５４および位置決めピン５６を備えて成形され、このとき導体５８は、その中に成形され、またはこれに取り付けられる。図３Ａのピン５０のようなピン５６は、プリント回路基板内の対応する穴に対する位置決め基準を提供し、このとき端子または支持脚部５８は、図３Ａの端子４２によく似た装着支持体を提供する。この点において、複数の端子５８が示されているが、そのほとんどは支持用にのみ使用され、通常複数のタップを有するＥコア上の二次コイルとは異なり、タップを有さない単一のコイルが、Ｉコア３０上の二次巻線に使用される。
【００１８】
ボビン５４が巻き付けられると、Ｉコア３０は部材５２内に固められ、このとき端部６０は、ボビン５４の面と同一の平面上にある。
図５は、モジュール内の回路基板の縁上のモジュールコネクタＥコアおよびＩコアの組立体の斜視図であり、図６は、保護層が所定位置にある状態では見ることができないＥコアおよびＩコアの組立体の配置を示すために、組立体上の保護層を有さないモジュールのコネクタ縁の図である。この点において、１つの実施形態におけるそのような保護層は、その縁周りの適所において浮遊式支持体に締め付けられた別の０．１２７ｍｍ（０．００５インチ）厚さのＬｅｘａｎシートであり、用途のために十分な可撓性を残している。図６にこれもまた見ることができるのは、突出部６２によって取り囲まれた装着ねじ穴であり、突出部６２は、モジュールをバックプレーン組立体上に正確に位置決めするためにバックプレーン組立体内の対応する穴に嵌合する。バックプレーン組立体内の突出部６２および穴は、同じでよく、またはモジュールを後ろ方向にまたは上下逆さまに取り付けることを防止するために、意図的に異なる形状または直径などから作られてよい。
【００１９】
例示的な実施形態の最終的な組み立てが、図７および８に示される。図７は、Ｅコア２８およびＩコア３０をその上に備えたバックプレーン回路基板２６を備え、バックプレーンレール６６およびカバー６８がバックプレーン回路基板２６の後部を保護する、バックプレーン組立体の分解図である。図８は、ねじ６９によってバックプレーン組立体の長穴４内に装着されたモジュール６４を示す。ラベル３２は、バックプレーン回路基板２６を覆い、長穴を番号で特定する。
【００２０】
これまで説明された実施形態では、ＥコアおよびＩコアは、電力および信号それぞれの結合のために使用されていた。Ｉコアの使用は、信号に極めて望ましく、その理由は、これらは、（好ましくはＭａｎｃｈｅｓｔｅｒまたはゼロＤＣ値を有する他のコード化を使用する）信号送信に使用される高周波数において良好に機能し、最終コネクタ組立体内に小さくパッケージされるためであるが、他の形状のコアが所望に応じて使用されてよい。Ｅコアに関して、別の代替策は、図３Ｂの概略形態に示されるようなＣコアを使用することである。ここでは、バックプレーン上の平面状巻線およびモジュールコネクタ上のワイヤを巻いた巻線３８は、Ｃコア２９の両方の脚部上に存在しているが、これらの巻線３８は、１つの脚部上のみに存在することもできる。そのような巻線が１つの脚部上にのみ存在する場合、磁束漏出を最小限に抑えるために、これらは、反対の脚部上ではなく同じ脚部上に存在しなければならない。その他においては、組立体は、本明細書において説明された通りである。
【００２１】
前述の説明では、通信チャネル間のクロストークまたは電磁放射を防止するための遮蔽については全般的に何も言われていないが、遮蔽は、必要とされない場合でも望ましい。本発明による電磁コネクタに通常使用される周波数により、遮蔽は、特にＩコアに対して、磁気筺体ではなく導電筺体によって最適に提供される。そのような導電筺体は、たとえばアルミニウム打ち抜きまたは金属めっきされたプラスチック筺体によって提供され得る。Ｉコアに関して、Ｉコアによって部分的に画定された磁気回路は、Ｉコア周りの非磁気空間によって完成されるため、任意のそのような遮蔽は、その空間を妨げないようにＩコアから幾分離れて離間されなければならないが、その代わりにかなり小さい磁束密度しか含まず、この磁束密度は、そうでなければより長い距離にわたってかなりの強度で外方向に延びることになる。その遮蔽の一部として、バックプレーン回路基板上のＩコア用の平面状巻線は、各々それぞれのＩコアの面を取り囲むが、説明されたように磁束のための空間を可能にするために外方向に離間された接地リングを含む。
【００２２】
また前述の説明では、２つのＥコア組立体および３つのＩコア組立体を使用する電磁コネクタが、示される。この例示的な実施形態では、Ｅコア組立体は本質的に同一であり、一方はモジュールのための電力の一次供給源として働き、他方はモジュールのための電力のバックアップ供給源として働く。３つのＩコア組立体に関して、１つは、バックプレーンからモジュールへの通信をもたらし、１つはモジュールからバックプレーンへの通信をもたらし、１つは、監視および監督機能のような目的のためにより低周波の双方向通信をもたらす。明白なことに、２つの電磁電力伝送組立体および３つの電磁通信組立体の使用は、用途依存のものであり、より少ないまたはより多いそのような組立体が、所要に応じて使用され得る。
【００２３】
実用的な実施形態の１つの態様は、バックプレーン上の特定の「長穴」内のモジュールの存在または不在の検出である。明確なことに、バックプレーン上のスイッチが使用され得るが、全体的には、これは許容されず、さらに、それ自体が、高信頼性のコネクタになる、またそうなるべきであるもの中の不良を起こしやすい構成要素を構成する。その代わり、１つの実施形態では、長穴は、モジュールが存在しないとき、非常に一時的に長穴（Ｅコアの一次平面状巻線または両方のＥコアの一次巻線）に電力供給し、一次平面状巻線の明白なインダクタンスまたはインピーダンスを感知することによって、定期的にネットワーク接続が確認される。モジュールが存在しない場合、インダクタンスは非常に小さく、インピーダンスもまた非常に小さく、それぞれのＥコア平面状巻線の抵抗とあまり変わらない。両方のＥコア一次巻線のネットワーク接続を確認することにより、モジュールの存在は、モジュール（またはバックプレーン）内のＥコアの１つ上の巻き線二次コイルの短絡が存在しても感知され得、またはＥコア平面状巻線の１つ上の一次コイルの断線が、ネットワーク接続が確認されときに電流を感知しないことで感知され得、それによって影響を受けたＣコア対を不能にし、不良にフラグを立て、Ｅコアの他の対を使用してモジュールに電力供給することによってモジュールの作動を継続することを可能にする。モジュールの取り外し（または特定の故障）は、バックプレーンに適切に装着された、適切に機能するモジュールに許容される最大限を上回る１つまたは両方のＥコアの平面状一次コイルを検出することによっても同様に検出され得る。
【００２４】
図９は、コネクタの電力接続のためにＣコア２９を使用するモジュールの後部の図であり、図１０は、対応するＣコア２９を使用するバックプレーンの図であり、その両方の場合において、Ｃコアは、Ｅコア２８と置き換わる。この点において、用語Ｅコアは、本明細書では、また特許請求の範囲において一般的な意味で使用され、Ｅの形態の断面を有する磁気コアを意味することに留意されたい。この定義は、本明細書において示されるＥコア構成のみならず、Ｅコアをその中央脚部の軸周りで回転させることによって生成される回転の表面または回転の部分的表面の構成を有するコアも対象とする。任意のそのようなＥコアは、バックプレーン上の平面状巻線が、回転の表面の中心とリムの間の空間内に延びることを可能にし、また、モジュール内の巻線上のワイヤの出口を可能にするために外側縁を中断させる必要があるが、それ以外は適切に機能する。
【００２５】
一部の実施形態では、ＩコアおよびＥコアまたはＣコアの対称性は、モジュールをいずれの配向でもバックプレーン上の長穴内に組み付けることを可能にする。例として、一部の実施形態では、モジュールは、２つの同一の回路を備え、使用されている１つが故障した場合のバックアップ回路を提供し、または故障が、異なる結果を有する２つによって検出され得るように両方を作動させる。いずれの方法でも、中央のＩコア組立体は、モジュールと交信するために使用されることが可能であり、他の２つのＩコア組立体は、モジュールがバックプレーンと交信するために使用されることが可能である。その対称性により、どの回路が、２つのＩコア組立体のどちらを通じてバックプレーンと交信するかは関係がない。モジュール内の回路が対称的でない場合でも、モジュールの存在が、モジュールの挿入時に検出されたとき、モジュールは、モジュールがそれ自体を特定するためにネットワーク接続が確認される必要がある。その回路およびプロセス内には、モジュールの配向を特定するのに適合させて作られた応答の検出が組み込まれることが可能であり、その後、モジュール内のまたはバックプレーンに結合された回路は、電力および／または信号を、適宜、新ルートで送ることができる。
【００２６】
したがって、本発明は、いくつかの態様を有し、その態様は、単独でまたはさまざまな組み合わせで、または副組み合わせで所望に応じて実施され得る。本発明の特定の好ましい実施形態は、限定の目的ではなく例示の目的で本明細書において開示され説明されてきたが、形態および詳細におけるさまざまな変更が、以下の特許請求の範囲の全容によって定義された本発明の趣旨および範囲から逸脱することなくその中に加えられてよいことが、当業者によって理解されるであろう。
〔態様１〕
電力をバックプレーンから前記バックプレーン上に装着されたモジュールに伝送するためのコネクタであって、
中央脚部および第１および第２の外側脚部を有する第１の磁気Ｅコアであって、前記中央脚部および前記外側脚部は、その第１の端部において接合され、その第２の端部が前記バックプレーン内の開口部内に延びる状態で装着され、前記バックプレーンは、前記３つの脚部の少なくとも１つを取り囲むプリントコイルを有する、第１の磁気Ｅコアと、
中央脚部および第１および第２の外側脚部を有する第２の磁気Ｅコアであって、前記中央脚部および前記外側脚部は、その一方の端部において接合され、その第２の端部が前記モジュールの端部に隣接して装着された状態で装着され、前記モジュールは、前記３つの脚部の少なくとも１つを取り囲む少なくとも１つの巻きコイルを有する、第２の磁気Ｅコアとを備え、
前記バックプレーンおよび前記モジュールは、前記モジュールが前記バックプレーンに装着されたとき、前記バックプレーン上の前記磁気Ｅコアの各々脚部の前記第２の端部が、前記モジュール内の前記磁気Ｅコアの対応する脚部と位置合わせされるように構成される、コネクタ。
〔態様２〕
前記モジュール内の前記巻きコイルが、複数のタップを備えたコイルである、態様１に記載のコネクタ。
〔態様３〕
前記バックプレーン内の前記磁気Ｅコアの前記第２の端部が、前記バックプレーンの前記モジュール側から突出しない、態様１に記載のコネクタ。
〔態様４〕
前記第１および第２の磁気Ｅコアの各々の前記第２の端部が、その上に保護シートまたは層を有する、態様３に記載のコネクタ。
〔態様５〕
前記モジュール内の前記磁気Ｅコアが、前記モジュールが前記バックプレーンに装着されたとき、前記モジュール内の前記磁気Ｅコアと、前記バックプレーン内の前記磁気Ｅコアとの間にばね力をもたらすようにばね装着される、態様３に記載のコネクタ。
〔態様６〕
前記磁気Ｅコアが、フェライトＥコアである、態様１に記載のコネクタ。
〔態様７〕
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを備え、
前記第１の磁気Ｉコアは、その端部が前記バックプレーン内の開口部内に延びる状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻きコイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、態様１に記載のコネクタ。
〔態様８〕
前記コネクタが、さらに、
少なくとも第３および第４の磁気Ｅコアであって、前記第３の磁気Ｅコアは、前記第１の磁気Ｅコアのように前記バックプレーン上に構成され、前記第４の磁気Ｅコアは、前記モジュールの前記端部に隣接して装着され、前記第２の磁気Ｅコアのように構成される、第３および第４の磁気Ｅコアと、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアとを備え、
前記第１および第２の磁気Ｅコアは、前記モジュールの中心周りで、前記第３および第４の磁気Ｅコアと対称的に装着され、
前記第１および第２の磁気Ｉコアは、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、態様７に記載のコネクタ。
〔態様９〕
前記モジュールが、２つの同一回路を含む、態様８に記載のコネクタ。
〔態様１０〕
前記バックプレーンに接続された前記モジュールが、前記モジュールの前記相対的配向を感知し、必要に応じて電力および／または信号を新ルートで送るための回路を含む、態様８に記載のコネクタ。
〔態様１１〕
前記バックプレーン内の前記第１の磁気Ｉコアの前記端部が、前記バックプレーンの前記モジュール側から突出しない、態様７に記載のコネクタ。
〔態様１２〕
前記磁気Ｉコアの各々の前記端部が、その上に保護シートまたは層を有する、態様７に記載のコネクタ。
〔態様１３〕
前記モジュール内および前記バックプレーン内の前記磁気Ｉコアが、前記モジュールおよび前記バックプレーンそれぞれ内に確実に装着される、態様７に記載のコネクタ。
〔態様１４〕
前記バックプレーン内の前記磁気Ｉコアが、前記磁気Ｉコアの軸を前記バックプレーンに対して垂直にして前記バックプレーン内に装着され、前記モジュール内の前記磁気Ｉコアは、前記モジュールが前記バックプレーンに装着されたとき、軸を、前記バックプレーン内の前記磁気Ｉコアの前記軸とほぼ同一線上にして装着される、態様１３に記載のコネクタ。
〔態様１５〕
前記磁気Ｉコアが、前記モジュールが前記バックプレーンに装着されたとき、前記磁気Ｉコアの前記端部が互いにその軸に沿って機械力を受けることなく近接状態になるように装着される、態様１４に記載のコネクタ。
〔態様１６〕
前記磁気Ｅコアが、フェライトＥコアである、態様７に記載のコネクタ。
〔態様１７〕
前記磁気Ｉコアが、フェライトＩコアである、態様７に記載のコネクタ。
〔態様１８〕
前記磁気Ｅコアおよび磁気Ｉコアの両方が、フェライトコアであり、前記磁気Ｅコアは、フェライトの１つの等級のものであり、前記磁気Ｉコアは、前記第１の等級とは異なるフェライトの第２の等級のものである、態様７に記載のコネクタ。
〔態様１９〕
電力をバックプレーンから前記バックプレーン上に装着されたモジュールに伝送するためのコネクタであって、
第１および第２の脚部を有する第１の磁気Ｃコアであって、前記第１および第２の脚部は、その第１の端部において接合され、その第２の端部が前記バックプレーン内の開口部内に延びる状態で装着され、前記バックプレーンは、前記第１および第２の脚部の少なくとも１つを取り囲むプリントコイルを有する、第１の磁気Ｃコアと、
第１および第２の脚部を有する第２の磁気Ｃコアであって、前記第１および第２の脚部は、その一方の端部において接合され、その第２の端部が前記モジュールの端部に隣接して装着された状態で装着され、前記モジュールは、前記第１および第２の脚部の少なくとも１つを取り囲む少なくとも１つの巻き線コイルを有する、第２の磁気Ｃコアとを備え、
前記バックプレーンおよび前記モジュールは、前記モジュールが前記バックプレーンに装着されたとき、前記バックプレーン上の前記磁気Ｃコアの各々脚部の前記第２の端部が、前記モジュール内の前記磁気Ｃコアの対応する脚部と位置合わせされるように構成される、コネクタ。
〔態様２０〕
前記モジュール内の前記巻きコイルが、複数のタップを備えたコイルである、態様１９に記載のコネクタ。
〔態様２１〕
前記バックプレーン内の前記磁気Ｃコアの前記第２の端部が、前記バックプレーンのモジュール側から突出しない、態様１９に記載のコネクタ。
〔態様２２〕
前記第１および第２の磁気Ｃコアの各々の前記第２の端部が、その上に保護シートまたは層を有する、態様２１に記載のコネクタ。
〔態様２３〕
前記モジュール内の前記磁気Ｃコアが、前記モジュールが前記バックプレーンに装着されたとき、前記モジュール内の前記磁気Ｃコアと、前記バックプレーン内の前記磁気Ｃコアとの間にばね力をもたらすようにばね装着される、態様２１に記載のコネクタ。
〔態様２４〕
前記磁気Ｃコアが、フェライトＣコアである、態様１９に記載のコネクタ。
〔態様２５〕
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを備え、
前記第１の磁気Ｉコアは、その端部が前記バックプレーン内の開口部内に延びる状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻き線コイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、態様１９に記載のコネクタ。
〔態様２６〕
前記コネクタが、さらに、
少なくとも第３および第４の磁気Ｃコアであって、前記第３の磁気Ｃコアは、前記第１の磁気Ｃコアのように前記バックプレーン上に構成され、前記第４の磁気Ｃコアは、前記モジュールの前記端部に隣接して装着され、前記第２の磁気Ｃコアのように構成される、第３および第４の磁気Ｃコアと、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアとを備え、
前記第１および第２の磁気Ｃコアは、前記モジュールの中心周りで、前記第３および第４の磁気Ｃコアと対称的に装着され、
前記第１および第２の磁気Ｉコアは、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、態様２５に記載のコネクタ。
〔態様２７〕
前記モジュールが、２つの同一の回路を含む、態様２６に記載のコネクタ。
〔態様２８〕
前記バックプレーンに接続された前記モジュールが、前記モジュールの前記相対的配向を感知し、必要に応じて電力および／または信号を新ルートで送るための回路を含む、態様２６に記載のコネクタ。
〔態様２９〕
前記バックプレーン内の前記第１の磁気Ｉコアの前記端部が、前記バックプレーンの前記モジュール側から突出しない、態様２５に記載のコネクタ。
〔態様３０〕
前記磁気Ｉコアの各々の前記端部が、その上に保護シートまたは層を有する、態様２５に記載のコネクタ。
〔態様３１〕
前記モジュール内および前記バックプレーン内の前記磁気Ｉコアが、前記モジュールおよび前記バックプレーンそれぞれ内に確実に装着される、態様２５に記載のコネクタ。
〔態様３２〕
前記バックプレーン内の前記磁気Ｉコアが、前記磁気Ｉコアの軸を前記バックプレーンに対して垂直にして前記バックプレーン内に装着され、前記モジュール内の前記磁気Ｉコアは、前記モジュールが前記バックプレーンに装着されたとき、軸を、前記バックプレーン内の前記磁気Ｉコアの前記軸とほぼ同一線上にして装着される、態様３１に記載のコネクタ。
〔態様３３〕
前記磁気Ｉコアが、前記モジュールが前記バックプレーンに装着されたとき、互いにその軸に沿って機械力を受けることなく近接状態になるように装着される、態様３２に記載のコネクタ。
〔態様３４〕
前記磁気Ｃコアが、フェライトＣコアである、態様２５に記載のコネクタ。
〔態様３５〕
前記磁気Ｉコアが、フェライトＩコアである、態様２５に記載のコネクタ。
〔態様３６〕
前記磁気Ｃコアおよび磁気Ｉコアの両方が、フェライトコアであり、前記磁気Ｃコアは、フェライトの１つの等級のものであり、前記磁気ＩＣコアは、前記第１の等級とは異なるフェライトの第２の等級のものである、態様２５に記載のコネクタ。
〔態様３７〕
バックプレーンからの電力を、前記バックプレーンに結合されるモジュールに結合する方法であって、
第１の磁気ＣコアまたはＥコアを、その面が前記バックプレーン内の開口部内に延びた状態でバックプレーン回路基板上に装着するステップであって、前記バックプレーン回路基板が、前記バックプレーン回路基板内に前記第１の磁気ＣコアまたはＥコアの少なくとも１つの脚部を取り囲む少なくとも１つの平面状コイルを有する、ステップと、
その面をモジュール表面に隣接させてモジュール内に装着された第２の磁気ＣコアまたはＥコアを提供するステップであって、前記第２の磁気ＣコアまたはＥコアが、前記第２の磁気ＣコアまたはＥコアの少なくとも１つの脚部を取り囲む巻き線コイルを有する、ステップとを含み、
それによって前記モジュールが前記バックプレーンに結合されたとき、前記モジュール上の前記第２の磁気ＣコアまたはＥコアの前記面が、前記バックプレーン回路基板上の前記第１の磁気ＣコアまたはＥコアの前記面に隣接し、ＡＣ電力が、前記平面状コイルに印加され、前記巻き線コイルに結合され得る、方法。
〔態様３８〕
前記第２の磁気ＣコアまたはＥコア上の前記巻き線コイルに、複数のタップが設けられる、態様３７に記載の方法。
〔態様３９〕
前記バックプレーン内の前記第２の磁気ＣコアまたはＥコアの第２の端部が、前記バックプレーンの前記モジュール側から突出しない、態様３７に記載の方法。
〔態様４０〕
保護シートまたは層が、前記第２の磁気ＣコアまたはＥコアの前記第２の端部の上に設けられる、態様３９に記載の方法。
〔態様４１〕
前記モジュール内の前記第２の磁気ＣコアまたはＥコアを、前記モジュールが前記バックプレーンに装着されたとき、前記モジュール内の前記第１の磁気ＣコアまたはＥコアと、前記バックプレーン内の前記第２の磁気ＣコアまたはＥコアとの間にばね力をもたらすようにばね装着するステップをさらに含む、態様３９に記載の方法。
〔態様４２〕
前記第２の磁気ＣコアまたはＥコアが、フェライトコアである、態様３７に記載の方法。
〔態様４３〕
バックプレーンの少なくとも１つから前記バックプレーン上に装着されたモジュールへの、およびモジュールから前記モジュールが装着されたバックプレーンへの信号送信のためのものでもあり、さらに、
第１および第２の磁気Ｉコアを提供するステップと、
前記第１の磁気Ｉコアを、その端部が前記バックプレーン内の開口部内を通過する状態で装着するステップであって、前記バックプレーンは、前記第１の磁気Ｉコアを取り囲むプリントコイルを有する、ステップと、
前記第２の磁気Ｉコアが前記第２の磁気Ｉコアを取り囲む少なくとも１つの巻きコイルを有する状態で、また、前記モジュールが前記バックプレーンに装着されたとき、前記第１の磁気Ｉコアの前記端部が、前記第２の磁気Ｉコアの前記端部に隣接するように、前記第２の磁気Ｉコアを、その端部を前記モジュールの端部に隣接させて装着するステップを含む、態様３７に記載の方法。
〔態様４４〕
少なくとも第３および第４の磁気Ｉコアを提供するステップと、
前記第３の磁気Ｅコアを前記第１の磁気Ｉコアのように、また、前記第４の磁気Ｅコアを前記第２の磁気Ｉコアのように構成するステップと、
少なくとも第３および第４の磁気Ｉコアを提供するステップと、
前記第３の磁気Ｉコアを前記第１の磁気Ｉコアのように、また、前記第４の磁気Ｉコアを前記第２の磁気Ｉコアのように構成するステップと、
前記第３および第４の磁気ＣコアまたはＥコアを、前記モジュールの中心の周りで、前記第１および第２の磁気ＣコアまたはＥコアと対称的に装着するステップと、
前記第３および第４の磁気Ｉコアを、前記モジュールの中心の周りで、前記第１および第２の磁気Ｉコアと対称的に装着するステップとを含み、
それによって前記モジュールは、前記モジュールが、第１の相対的配向で、または前記第１の相対的配向とは反対の第２の相対的配向で前記バックプレーンに装着されたときに機能するようになる、態様４３に記載の方法。
〔態様４５〕
前記モジュールが、２つの同一の回路を含む、態様４４に記載の方法。
〔態様４６〕
前記バックプレーンに接続された前記モジュールが、前記モジュールの前記相対的配向を感知し、必要に応じて動力および／または信号を新ルートで送るための回路を含む、態様４４に記載の方法。
〔態様４７〕
前記第１の磁気Ｉコアが、前記バックプレーン内の前記第１の磁気Ｉコアの前記端部が、前記バックプレーンの前記モジュール側から突出しないように装着される、態様４３に記載の方法。
〔態様４８〕
前記磁気Ｉコアの各々の前記端部の上に保護シートまたは層を提供するステップをさらに含む、態様４３に記載の方法。
〔態様４９〕
前記モジュール内および前記バックプレーン内の前記磁気Ｉコアが、前記モジュールおよび前記バックプレーンそれぞれ内に確実に装着される、態様４３に記載の方法。
〔態様５０〕
前記バックプレーン内の前記磁気Ｉコアが、前記Ｉコアの軸を前記バックプレーンに対して垂直にして前記バックプレーンに装着され、前記モジュール内の前記Ｉコアが、前記モジュールが前記バックプレーンに装着されたとき、軸を、前記バックプレーン内の前記磁気Ｉコアの前記軸とほぼ同一線上にして装着される、態様４９に記載の方法。
〔態様５１〕
前記磁気Ｉコアが、前記モジュールが前記バックプレーンに装着されたとき、互いに、その軸に沿って機械力を受けることなく近接状態になるように装着される、態様５０に記載の方法。
〔態様５２〕
前記第２の磁気ＣコアまたはＥコアが、フェライトＣコアまたはＥコアである、態様４３に記載の方法。
〔態様５３〕
前記磁気Ｉコアが、フェライトＩコアである、態様４３に記載の方法。
〔態様５４〕
前記第２の磁気ＣコアまたはＥコアおよび前記磁気Ｉコアの両方が、フェライトコアであり、前記第２の磁気ＣコアまたはＥコアは、フェライトの１つの等級のものであり、前記磁気Ｉコアは、フェライトの前記第１の等級とは異なるフェライトの第２の等級のものである、態様４３に記載の方法。
〔態様５５〕
バックプレーンの少なくとも１つから前記バックプレーン上に装着されたモジュールへの、およびモジュールから前記モジュールが装着されたバックプレーンへの信号送信のためのコネクタであって、
第１および第２の磁気Ｉコアを備え、
前記第１の磁気Ｉコアは、その端部が前記バックプレーン内の開口部内に進む状態で装着され、前記バックプレーンは、前記第１の磁気Ｉコアを取り囲むプリントコイルを有し、
前記第２の磁気Ｉコアは、その端部を前記モジュールの端部に隣接させて装着し、前記モジュールは、前記第２の磁気Ｉコアを取り囲む少なくとも１つの巻きコイルを有し、
前記バックプレーンおよび前記モジュールはまた、前記モジュールが前記バックプレーンに装着されたとき、前記第１の磁気Ｉコアの前記端部が、前記第２の磁気Ｉコアの前記端部に隣接するように構成される、コネクタ。
〔態様５６〕
前記コネクタが、
少なくとも第３および第４の磁気Ｉコアであって、前記第３の磁気Ｉコアは、前記第１の磁気Ｉコアのように前記バックプレーン上に構成され、前記第４の磁気Ｉコアは、前記モジュールの前記端部に隣接して装着され、前記第２の磁気Ｉコアのように構成される、第３および第４の磁気Ｉコアをさらに備え、
前記第１および第２の磁気Ｉコアが、前記モジュールの中心周りで、前記第３および第４の磁気Ｉコアと対称的に装着され、
それによって前記コネクタは、前記モジュールが、第１の相対的配向で、または前記第１の相対的配向とは反対の第２の相対的配向で前記バックプレーンに装着され得るときに機能するようになる、態様５５に記載のコネクタ。
〔態様５７〕
前記モジュールが、２つの同一の回路を含む、態様５６に記載のコネクタ。
〔態様５８〕
前記バックプレーンに接続された前記モジュールが、前記モジュールの相対的配向を感知し、必要に応じて信号を新ルートで送るための回路を含む、態様５６に記載のコネクタ。
〔態様５９〕
前記バックプレーン内の前記第１の磁気Ｉコアの前記端部が、前記バックプレーンの前記モジュール側から突出しない、態様５５に記載のコネクタ。
〔態様６０〕
前記磁気Ｉコアの各々の前記端部が、その上に保護シートまたは層を有する、態様５５に記載のコネクタ。
〔態様６１〕
前記モジュール内および前記バックプレーン内の磁気Ｉコアが、前記モジュールおよび前記バックプレーンそれぞれ内に確実に装着される、態様５５に記載のコネクタ。
〔態様６２〕
前記バックプレーン内の前記磁気Ｉコアが、前記磁気Ｉコアの軸を前記バックプレーンに対して垂直にして前記バックプレーン内に装着され、前記モジュール内の前記磁気Ｉコアは、前記モジュールが前記バックプレーンに装着されたとき、軸を、前記バックプレーン内の前記磁気Ｉコアの前記軸とほぼ同一線上にして装着される、態様５５に記載のコネクタ。
〔態様６３〕
前記磁気Ｉコアが、前記モジュールが前記バックプレーンに装着されたとき、互いにその軸に沿って機械力を受けることなく近接状態になるように装着される、態様６２に記載のコネクタ。
〔態様６４〕
前記磁気Ｉコアが、フェライトＩコアである、態様５５に記載のコネクタ。
【図１】
0006598765.tif 000002
【図２】
0006598765.tif 000003
【図３Ａ】
0006598765.tif 000004
【図３Ｂ】
0006598765.tif 000005
【図４】
0006598765.tif 000006
【図５】
0006598765.tif 000007
【図６】
0006598765.tif 000008
【図７】
0006598765.tif 000009
【図８】
0006598765.tif 000010
【図９】
0006598765.tif 000011
【図１０】
0006598765.tif 000012